(57)【要約】【課題】映像表示装置が設置される場所の大きさ及び形状や、スクリーンに表示される映像の種類等に対応させて映像の表示態様等を種々に変化させることが可能な映像表示装置を提供する。【解決手段】表面にスクリーン面２を有するスクリーンボード３ａと、前記スクリーン面２に映像を投射する投射機４と、前記投射機４を保持する投射機保持台５とを備え、前記スクリーンボード３ａの少なくとも一側辺部には、前記スクリーンボード３ａと、これに隣接して配設される他のスクリーンボード３ｂとを回動可能に連結する連結部材１２が設けられている【選択図】図２
2020204650.tif 000002
【特許請求の範囲】
【請求項１】
表面にスクリーン面を有するスクリーンボードと、
前記スクリーン面に映像を投射する投射機と、
前記投射機を保持する投射機保持台と、を備え、
前記スクリーンボードの少なくとも一側辺部には、前記スクリーンボードと、これに隣接して配設される他のスクリーンボードとを回動可能に連結する連結部材が設けられている映像表示装置。
【請求項２】
前記スクリーンボードの下部には、一対のキャスタを有する支持脚体が設けられている請求項１記載の映像表示装置。
【請求項３】
前記スクリーンボードと、前記支持脚体との間に、前記支持脚体を旋回可能に支持する支持軸が設けられている請求項１又は２記載の映像表示装置。
【請求項４】
前記スクリーンボードの前記一側辺部には、可撓性を有する素材からなる被覆体が、前記他のスクリーンボードとの間隙を覆うように設けられている請求項１〜３の何れか１項に記載の映像表示装置。
【請求項５】
前記スクリーン面は、前記スクリーンボードの平面視において湾曲している請求項１乃至４の何れか１項に記載の映像表示装置。
映像表示装置。
【請求項６】
前記スクリーンボードと、前記他のスクリーンボードとが、分離可能に連結されている請求項１〜５の何れか１項に記載の映像表示装置。
【請求項７】
前記投射機保持台は、前記スクリーンボードに対して位置決めされた状態で設置され、
前記投射機保持台には、前記投射機の設置位置を規制する位置規制部材が設けられている請求項１〜６の何れか１項に記載の映像表示装置。
【請求項８】
前記投射機保持台は、前記スクリーンボードの下方部に配設され、
前記投射機保持台の下部には、接地部が設けられている請求項７記載の映像表示装置。
【請求項９】
前記接地部には、キャスタが設けられている請求項８記載の映像表示装置。
【発明の詳細な説明】
【技術分野】
【０００１】
本発明は、投射機から投射された文字や図形、写真などの映像をスクリーン面に表示する映像表示装置に関する。
【背景技術】
【０００２】
従来、投影機（プロジェクタ）と、この投影機から投射された映像を表示するスクリーンとを有する複数の映像表示装置（プロジェクタ装置）を複数配列し、各スクリーンを互いに隣接させてマルチスクリーンによる大画面を表示させることが行われている（特許文献１参照）。
【０００３】
このような映像表示装置は、例えばイベント会場等に設置され、大画面に迫力のある映像を表示することが可能である。しかし、複数のスクリーンを左右に連結した構成では、汎用性に欠けるという問題がある。すなわち、映像表示装置の設置場所は、広い会場とは限られず、その大きさ及び形状は様々であり、スクリーンに表示される映像も、平面的に限られず、多面的に表示することが望まれる場合がある。このような場合に、特許文献１に開示された映像表示装置では、スクリーン面の設置態様及び映像の表示態様等を種々に変化させることは困難であり、汎用性に欠けるという問題があった。
【先行技術文献】
【特許文献】
【０００４】
【特許文献１】特開２００１−１８３９９３号公報
【発明の概要】
【発明が解決しようとする課題】
【０００５】
本発明が前述の状況に鑑みて解決しようとするところは、映像表示装置が設置される場所の大きさ及び形状や、スクリーンに表示される映像の種類等に対応させて映像の表示態様等を種々に変化させることが可能であり、優れた汎用性を有する映像表示装置を提供する点にある。
【課題を解決するための手段】
【０００６】
本発明に係る映像表示装置は、表面にスクリーン面を有するスクリーンボードと、前記スクリーン面に映像を投射する投射機と、前記投射機を保持する投射機保持台とを備え、前記スクリーンボードの少なくとも一側辺部には、前記スクリーンボードと、これに隣接して配設される他のスクリーンボードとを回動可能に連結する連結部材が設けられたものである。
【０００７】
また、前記スクリーンボードの下部には、一対のキャスタを有する支持脚体が設けられたものであることが好ましい。
【０００８】
さらに、前記スクリーンボードと、前記支持脚体との間に、前記支持脚体を旋回可能に支持する支持軸が設けられたものとしてもよい。
【０００９】
さらにまた、前記スクリーンボードの前記一側辺部には、可撓性を有する素材からなる被覆体が、前記他のスクリーンボードとの間隙を覆うように設けられたものであることが好ましい。
【００１０】
さらに、前記スクリーン面は、前記スクリーンボードの平面視において湾曲したものであってもよい。
【００１１】
また、前記スクリーンボードと、前記他のスクリーンボードとが、分離可能に連結されたものであることが好ましい。
【００１２】
さらに、前記投射機保持台は、前記スクリーンボードに対して位置決めされた状態で設置され、前記投射機保持台には、前記投射機の設置位置を規制する位置規制部材が設けられたものであることが好ましい。
【００１３】
また、前記投射機保持台は、前記スクリーンボードの下方部に配設され、前記投射機保持台の下部には、接地部が設けられたものとしてもよい。
【００１４】
さらに、前記接地部には、キャスタが設けられたものであることが好ましい。
【発明の効果】
【００１５】
本発明に係る映像表示装置によれば、その設置場所の大きさや形状、又はスクリーン面に表示される映像の種類等に対応させて、映像表示装置を構成するスクリーンボードと、これに隣接して配設される他のスクリーンボードとを回動変位させることにより、映像の表示態様を容易に変化させることができ、優れた汎用性が得られるという利点がある。
【００１６】
また、スクリーンボードの下部に、一対のキャスタを有する支持脚体を設けた構成によれば、キャスタを転動させることにより、スクリーンボードの設置状態を変化させる操作等を容易に行うことが可能である。
【００１７】
さらに、前記スクリーンボードと、前記支持脚体との間に、前記支持脚体を旋回可能に支持する支持軸が設けられた構成によれば、この支持軸を支点として、支持脚体を旋回させて、キャスタ支持部をスクリーンボードと直交する方向に設置した状態からスクリーンボードと平行な状態へと変位させることにより、画像形成装置をコンパクトに折り畳むことが可能である。
【００１８】
さらにまた、スクリーンボードの一側辺部に、可撓性を有する素材からなる被覆体が、前記他のスクリーンボードとの間隙を覆うように設けられた構成によれば、両スクリーンボードの設置角度が変化した場合においても、これに追従させて被覆体を変形させることにより、両スクリーンボードの間に隙間が形成されるのを防止することできる。
【００１９】
また、スクリーンボードの平面視においてスクリーン面を湾曲させた構成によれば、例えば複数のスクリーンボードを平面視で多角形状に配設することにより、円筒形状のスクリーン面を形成して、このスクリーン面に表示される映像の連続性を向上させることができる等の利点がある。
【００２０】
さらに、スクリーンボードと他のスクリーンボードとが分離可能に連結された構成によれば、相連結されるスクリーンボードの個数を必要に応じて任意に増減して、例えばスクリーンボードを単独で使用したり、多数のスクリーンボードからなる大型のスクリーンを形成したりすることができる。
【００２１】
また、投射機を保持する投射機保持台がスクリーンボードに対して位置決された状態で設置されるとともに、投射機保持台に、投射機の設置位置を規制する位置規制部材を設けた構成によれば、スクリーンボードのスクリーン面と、投射機から投射される映像の投射領域とを容易かつ正確に一致させた状態で、投射機を投射機保持台に保持させることができる。したがって、煩雑な位置決め作業を要することなく、投射機が投射される映像がスクリーン面からはみ出したり、映像が変形したりするのを効果的に防止することができる。
【００２２】
さらに、投射機保持台を、スクリーンボードの下方部に配設するとともに、投射機保持台の下部に接地部を設けた構成によれば、投射機保持台に保持された投射機の自重がスクリーンボードに作用するのを抑制して、スクリーンボードの設置状態を効果的に安定させることができる。
【００２３】
また、投射機保持台の接地部にキャスタを設けた構成とした場合には、スクリーンボードと投射機保持台とを接合した状態で、これらを一体的に搬送する作業等を容易に行うことができる。
【図面の簡単な説明】
【００２４】
【図１】本発明に係る映像表示装置の実施形態を示す正面図である。
【図２】映像表示装置の設置状態を示す平面図である。
【図３】映像表示装置を構成するスクリーンボードの平面断面図である。
【図４】連結部材の具体的構成を示す平面断面図である。
【図５】スクリーンボードの設置状態を示す平面図である。
【図６】支持脚体の具体的構成を示す図１のＶＩ−ＶＩ線断面図である。
【図７】支持脚体の変形例を示す平面図である。
【図８】支持脚体の変形例の具体的構成を示す側面断面図である。
【図９】投射機保持台の具体的構成を示す正面図である。
【図１０】投射機保持台の具体的構成を示す側面図である。
【図１１】投射機保持台の具体的構成を示す平面図である。
【図１２】映像表示装置の別の実施形態を示す平面図である。
【図１３】映像表示装置のさらに別の実施形態を示す平面図である。
【図１４】映像表示装置のさらにまた別の実施形態を示す平面図である。
【図１５】連結部材の変形例の具体的構成を示す斜視図である。
【図１６】スクリーンボードの格納状態を示す平面図である。
【図１７】スクリーンボードの展開状態を示す平面図である。
【発明を実施するための形態】
【００２５】
以下、本発明の実施形態を添付図面に基づき詳細に説明するが、本発明は、添付図面に示された形態に限定されず特許請求の範囲に記載の要件を満たす実施形態の全てを含むものである。
【００２６】
図１及び図２に示すように、映像表示装置１は、表面にスクリーン面２を有するスクリーンボード３ａと、スクリーン面２に映像を投射する投射機４と、この投射機４を保持する投射機保持台５とを備えている。投射機４としては、スクリーン面２に近接した位置に配設される短焦点用のプロジェクタや、通常のプロジェクタと反射板とを用いて近接投影が可能としたものが好適に使用され、これによって映像表示装置１のコンパクト化を図ることができる。
【００２７】
スクリーンボード３ａは、角パイプ材等が正方形に接続された枠体６の集合体からなる格子状の上部フレーム７と、角パイプ材等が横長の長方形に接続された枠体８の集合体からなる梯子状の下部フレーム９とを備えている。上部フレーム７の表面側には、図３及び図４に示すように、スクリーンシート２ａが固着され、このスクリーンシート２ａの表面がスクリーン面となる。
【００２８】
上部フレーム７は、左右三列の枠体６と、上下二段の枠体６とを有している。そして、図３に示すように、ボルト１０及びナット１１等からなる締結部材により相隣接する枠体６，６の角パイプ同士が一体に締結されている。これにより、図１に示すように、合計６個の枠体６からなる格子状の上部フレーム７が構成されている。
【００２９】
また、下部フレーム９は、上部フレーム７の下方に配列された左右三列の枠体８を有している。そして、ボルト１０及びナット１１等からなる締結部材により、相隣接する枠体８の角パイプ同士が一体に締結されるとともに、上部フレーム７の下端部に配置された枠体６の角パイプと、下部フレーム９の上端部に配置された枠体８の角パイプとが一体に締結されている。これにより、合計３個の枠体８からなる梯子状の下部フレーム９が構成されるとともに、この下部フレーム９と、上述の上部フレーム７とが一体に接合されている。
【００３０】
スクリーンボード３ａの一側辺部（図２の右側に位置する側辺部）には、このスクリーンボード３ａ（以下、第一スクリーンボード３ａともいう）と同様の構成を有する他のスクリーンボード３ｂ（以下、第二スクリーンボード３ｂともいう）が隣接して配設されている。
【００３１】
第一スクリーンボード３ａの一側辺部には、図４に示すように、第一スクリーンボード３ａと第二スクリーンボード３ｂとを回動可能に連結する連結部材１２が設けられている。また、第一スクリーンボード３ａの一側辺部には、合成樹脂シート等の可撓性を有する素材からなる被覆体１３が、第二スクリーンボード３ｂとの間隙を覆うように設けられている。なお、連結部材１２及び被覆体１３を、第一スクリーンボード３ａの他側辺部（図２の左側に位置する側辺部）に設けてもよく、あるいは第一スクリーンボード３ａの左右両側辺部に設けた構成としてもよい。
【００３２】
連結部材１２は、例えば第一スクリーンボード３ａの側壁面及び第二スクリーンボード３ｂの側壁面にそれぞれ固定ビス等により取外し可能に固定される一対の取付板１４ａ，１４ｂと、両取付板１４ａ，１４ｂの回動支点となる枢軸１５とを有するヒンジ部材からなっている。そして、図４に示す平面視で、連結部材１２の枢軸１５を支点にして、第一スクリーンボード３ａと第二スクリーンボード３ｂとが回動可能に連結されている。
【００３３】
例えば、図２に示す平面視で、第一スクリーンボード３ａと第二スクリーンボード３ｂとが直角に配置された状態から、第二スクリーンボード３ｂを矢印Ａ１で示す方向に回動変位させることにより、図５の実線で示すように、第一スクリーンボード３ａと第二スクリーンボード３ｂとが一直線上に配置された状態に変位させ得るように構成されている。
【００３４】
また、第一スクリーンボード３ａ及び第二スクリーンボード３ｂの下端部には、図２に示すように、第一スクリーンボード３ａ及び第二スクリーンボード３ｂと直交する方向に延びる左右一対の支持脚体１６が設けられている。この支持脚体１６は、図６に示すように、角パイプ材等からなるキャスタ支持部１７と、このキャスタ支持部１７の下面に取り付けられた前後一対のキャスタ１８とを有している。
【００３５】
そして、キャスタ支持部１７の前後方向中央部が、第一スクリーンボード３ａ及び第二スクリーンボード３ｂの下端部、具体的には下部フレーム９の下面にボルト止めされる等により固定されている。これにより、第一スクリーンボード３ａ及び第二スクリーンボード３ｂの転倒が防止された状態で、床面上に立設されるようになっている。また、必要に応じてキャスタ１８を転動させることにより、第一スクリーンボード３ａ及び第二スクリーンボード３ｂを容易に搬送することが可能である。
【００３６】
なお、図７に示すように、第一スクリーンボード３ａ及び第二スクリーンボード３ｂの下端部と、支持脚体１６の上端部との間に設けられた支持軸１９を支点として、支持脚体１６が旋回可能に支持された構成としてもよい。例えば、図８に示すように、キャスタ支持部１７に突設された支持軸１９の上部が、下部フレーム９の下端部に形成された挿通孔２０内に挿入された状態で、支持軸１９の先端部に抜け止め用のナット２１が螺着される等により、支持脚体１６が支持軸１９を支点に旋回可能に支持されている。
【００３７】
この構成によれば、支持軸１９を支点として、図７の矢印Ｂで示すように支持脚体１６を旋回させることにより、キャスタ支持部１７を、第一スクリーンボード３ａ及び第二スクリーンボード３ｂと直交する方向に設置した状態（図７の実線参照）と、第一スクリーンボード３ａ及び第二スクリーンボード３ｂと平行に設置した状態（図７の仮想線参照）とに変位させることができる。
【００３８】
投射機保持台５は、図９及び図１０に示すように、投射機４が載置される載置板２３と、下面に４個のキャスタ２４が設けられた接地部２５とを有している。また、スクリーンボード３ａ，３ｂの下部フレーム９に設けられた図略の位置決め部に、投射機保持台５の前端部を当接させて位置決めした状態で、投射機４から斜め上方に向けて映像が照射されることにより、スクリーンボード３ａ，３ｂのスクリーン面２に映像が写し出されるように構成されている。
【００３９】
載置板２３の上面には、図１１に示すように、投射機４の設置位置を規制する位置規制部材２６が設けられている。この位置規制部材２６は、投射機４の下部前面に当接して投射機４の前方移動を規制する第一規制部２６ａと、投射機４の下部側面に当接して投射機４の側方移動を規制する第二規制部２６ｂとを有するＬ型金具等からなっている。
【００４０】
上述の構成によれば、投射機４の下部前面を第一規制部２６ａに当接させることにより、投射機４とスクリーンボード３ａ，３ｂとの設置間隔が一定となるように、投射機４の前後位置が規制される。また、投射機４の前方移動を規制する投射機４の下部側面を第二規制部２６ｂに当接させることにより、投射機４の幅方向における設置位置が規制された状態で、載置板２３上に投射機４が固定される。この結果、スクリーンボード３ａ，３ｂの表面に設けられたスクリーン面２の設置範囲と、投射機４から投射される映像の投射領域とを正確に一致させることが可能となり、スクリーン面２から映像がはみ出したり、映像が変形したりすることを防止できる。
【００４１】
上述のように、表面にスクリーン面２を有するスクリーンボード３と、スクリーン面２に映像を投射する投射機４と、投射機４を保持する投射機保持台５とを備え、スクリーンボード３の少なくとも一側辺部には、スクリーンボード３と、これに隣接して配設される他のスクリーンボード３ｂとを回動可能に連結する連結部材１２が設けられてなる映像表示装置１によれば、この映像表示装置１が設置される場所の大きさや形状、又はスクリーン面２に表示される映像の種類等に対応させて、映像の表示態様を容易に変化させることが可能であり、優れた汎用性が得られるという利点がある。
【００４２】
すなわち、映像表示装置１の設置場所が広く、大画面のスクリーン面２を形成することが望まれる場合には、図５の実線で示すように、第一スクリーンボード３ａと第二スクリーンボード３ｂとを平面視で一直線上に配置することにより、遠くからでも見やすい大きな映像をスクリーン面２に表示させることができる。
【００４３】
一方、映像表示装置１の設置場所の幅寸法が狭い場合、あるいはスクリーン面２を立体的に配置することが望まれる場合等には、図２及び図５の仮想線で示すように、第一スクリーンボード３ａと第二スクリーンボード３ｂとを平面視で直角に配置することにより、スクリーン面２の設置幅が大きくなるのを防止しつつ、下記のように映像の視覚効果を効果的に向上させることができる。
【００４４】
すなわち、イベント会場等に着座した聴衆の前方側に位置する第一スクリーンボード３ａのスクリーン面２に、大学等で講義する講師の映像を表示する。また、聴衆の側方側に位置する第二スクリーンボード３ｂのスクリーン面２に、大学の大教室等に集まった多数の学生の映像を表示した場合には、イベント会場に着座した聴衆に、離れた場所にいる多数の学生とともに講義を聴いているような臨場感を与えることができる。
【００４５】
また、航空機戦闘ゲーム等を行うアーケードゲーム機の前方側に位置する第一スクリーンボード３ａのスクリーン面２に、遊戯者が操縦する自機と、攻撃目標となる敵爆撃機とを表示し、かつアーケードゲーム機の側方側に位置する第二スクリーンボード３ｂのスクリーン面２に、自機を攻撃しようとする敵戦闘機を表示するようにしてもよい。この場合には、アーケードゲーム機を使用する遊技者は、側方の敵戦闘機からの攻撃を回避しつつ、前方の敵爆撃機を補足して撃墜するという三次元的なゲームをリアルに楽しむことが可能である。
【００４６】
上述の実施形態では、第一スクリーンボード３ａ及び第二スクリーンボード３ｂの下部に、一対のキャスタ１８を有する支持脚体１６を設けた構成としたため、このキャスタ１８を転動させることにより、図２に示すように、第一スクリーンボード３ａと第二スクリーンボード３ｂとを直角に配置した状態から、図５の実線で示すように、両者を一直線上に配置した状態へと変位させる操作等を容易に行うことが可能である。
【００４７】
さらに、映像表示装置１の不使用時には、第二スクリーンボード３ｂを図５の矢印Ａ２で示す方向に回動変位させることにより、第一スクリーンボード３ａと第二スクリーンボード３ｂを近接させて映像表示装置１をコンパクト化したり、映像表示装置１を格納場所に搬送したりする作業を、キャスタ１８を利用して容易に行うことができる。
【００４８】
そして、図７の仮想線で示すように、キャスタ支持部１７を、第一スクリーンボード３ａ及び第二スクリーンボード３ｂと平行に設置した状態とすれば、後述の図１６に示すように、第一スクリーンボード３ａと第二スクリーンボード３ｂとを略密着させた状態として、映像表示装置１の格納スペースを、より小さくすることが可能である。
【００４９】
また、図４に示すように、第一スクリーンボード３ａの側辺部に設けられた被覆体１３により、第二スクリーンボード３ｂとの間隙を覆うように構成した場合には、第一スクリーンボード３ａと第二スクリーンボード３ｂとに間に形成された間隙を透過する光によって、映像の連続性が阻害される等の弊害を防止することができる。特に、合成樹脂シート等の可撓性を有する素材で被覆体１３を構成すれば、第一スクリーンボード３ａと第二スクリーンボード３ｂとの設置角度が変化した場合においても、これに追従させて被覆体１３を変形させることにより、第一スクリーンボード３ａと第二スクリーンボード３ｂとの間に隙間が形成されるのを防止して、映像の連続性を維持できるという利点がある。
【００５０】
第一スクリーンボード３ａの左右両側辺部に連結部材１２をそれぞれ設けるとともに、図１２に示すように、第一スクリーンボード３ａの一側方部に、第二スクリーンボード３ｂを配設し、かつ第一スクリーンボード３ａの他側方部に、第三スクリーンボード３ｃからなる別のスクリーンボードを配設した場合には、映像表示装置１のスクリーン面２に表示される映像の表示面積を、より増大することができるとともに、映像の表示態様を、より多様化することができる。
【００５１】
さらに、図１３に示すように、複数のスクリーンボード３ａ〜３ｆを順次、連結することにより、各スクリーンボード３ａ〜３ｆを平面視で多角形状、例えば六角形状に配設することも可能である。これにより、映像表示装置１が配設された空間部の外周全面、もしくは内周全面に、映像を表示させることができる。
【００５２】
上述の実施形態では、スクリーンボード３ａ等の表面に設けられたスクリーン面２を平坦面に形成した例について説明したが、これに限られない。例えば、図１４に示すように、スクリーンボード３ａ〜３ｆの平面視においてスクリーン面２をそれぞれ湾曲させた構成としてもよい。この構成によれば、複数のスクリーンボード３ａ〜３ｆを平面視で多角形状に配設することにより、円筒形状のスクリーン面２を形成して、映像表示装置１のスクリーン面２に表示される映像の連続性を、より向上させることができる。
【００５３】
また、連結部材１２を構成するヒンジ部材の取付板１４ａ，１４ｂを、第一スクリーンボード３ａの側壁面及び第二スクリーンボード３ｂの側壁面に固定する固定ビスを取り外す等により、第一スクリーンボード３ａと第二スクリーンボード３ｂとを分離可能に連結した場合には、相連結されるスクリーンボード３の個数を必要に応じて任意に増減することができる。例えば、第一スクリーンボード３ａを単独で使用したり、多数のスクリーンボード３からなる大型のスクリーンを形成したりすることができる。
【００５４】
なお、図１５に示すように、枢軸１５ａを有する第一取付板１４ａと、枢軸１５ａが挿抜可能に挿入されるボス部１５ｂを有する第二取付板１４ｂとにより、連結部材１２を構成してもよい。この構成によれば、枢軸１５ａをボス部１５ｂに挿入することにより、第一取付板１４ａが取り付けられる一方のスクリーンボードと、第二取付板１４ｂが取り付けられる他方のスクリーンボード３ｂとを容易に連結することができる。しかも、枢軸１５ａをボス部１５ｂから引き抜くだけで、両スクリーンボードを容易に分離することができる。
【００５５】
また、図１６及び図１７に示すように、第一スクリーンボード３ａと第二スクリーンボード３ｂとの連結部に、一対のリンク板３０，３１等からなる角度規制部材３２を設けてもよい。この角度規制部材３２は、図１６に示すように、第一スクリーンボード３ａと第二スクリーンボード３ｂとを密着させた場合に、両リンク板３０，３１が折り畳まれた状態となり、図１７に示すように、第一スクリーンボード３ａと第二スクリーンボード３ｂとを展開させた場合に、両リンク板３０，３１が伸長状態となるように構成されている。
【００５６】
上述の角度規制部材３２を、第一スクリーンボード３ａと第二スクリーンボード３ｂとの連結部に設けた場合には、両スクリーンボード３ａ，３ｂを互いに密着させた状態から、両スクリーンボード３ａ，３ｂを展開状態に移行させる際に、その展開角度が、例えば９０度等に予め設定された展開規制角度となった時点で、それ以上の展開を規制することができる。このため、第一スクリーンボード３ａ及び第二スクリーンボード３ｂを、互いに密着させた状態から所定の展開状態へと容易かつ正確に移行させることができる。
【００５７】
なお、角度規制部材３２により規制される第一スクリーンボード３ａ及び第二スクリーンボード３ｂの展開角度は、９０度に限られず、例えば１２０度、もしくは１３５度等の種々の角度に設定することができる。
【００５８】
また、上述のリンク板３０，３１等からなる角度規制部材３２に代え、図１５に示すように、連結部材１２を構成する枢軸１５ａの外周面に形成された半球状の突部２８と、ボス部１５ｂの内周面に形成された凹部２９とにより、角度規制部材を構成することも可能である。そして、枢軸１５ａの回動変位に応じて突部２８を凹部２９内に嵌入して係止する等により、スクリーンボードの展開角度を規制するようにしてもよい。
【００５９】
上述の実施形態では、投射機保持台５を、スクリーンボード３ａ，３ｂに対して位置決めした状態で設置するとともに、図１１に示すように、投射機保持台５に設けられた位置規制部材２６によって投射機４を位置決するように構成されている。この構成によれば、スクリーンボード３ａ，３ｂのスクリーン面２と、投射機４から投射される映像の投射領域とを容易かつ正確に一致させた状態で、投射機４を投射機保持台５に保持させることができる。したがって、煩雑な位置決め作業を要することなく、投射機４が投射される映像がスクリーン面２からはみ出したり、映像が変形したりするのを効果的に防止することができる。
【００６０】
なお、上述の実施形態では、投射機保持台５を、スクリーンボード３ａ等の下方部に配設した例について説明したが、これに限られず、投射機保持台５の設置位置を任意に変更可能である。例えば、投射機保持台５を、スクリーンボード３ａ等の上部に配設し、投射機４から斜め下方に向けて映像を照射するように構成してもよい。
【００６１】
しかし、図１０に示すように、投射機保持台５を、スクリーンボード３ａ等の下方部に配設するとともに、投射機保持台５の下部に接地部２５を設けた構成とした場合には、投射機保持台５に保持された投射機４の自重がスクリーンボード３ａ等に作用するのを抑制して、スクリーンボード３ａ等の設置状態を効果的に安定させることができる。
【００６２】
特に、上述の実施形態に示すように、投射機保持台５の接地部２５にキャスタ２４を設けた場合には、キャスタ２４の下端部を接地させて転動させることにより、スクリーンボード３ａ等と投射機保持台５とを接合した状態で、これらを一体的に搬送する作業等を容易に行うことができる。
【００６３】
上述の実施形態では、投射機４及び投射機保持台５を、スクリーンボード３ａ等の表面側においてスクリーン面２に対向させるように配置した例について説明したが、スクリーンボード３ａ等の背面側に投射機４及び投射機保持台５を配置してもよい。そして、投射機４から投射された映像を、スクリーン面２の表面側に透過させて表示させるように構成とすることも可能である。
【符号の説明】
【００６４】
１  映像表示装置                          ２  スクリーン面                        
３ａ  スクリーンボード                    ３ｂ〜３ｆ  他のスクリーンボード  
４  投射機                                ５  投射機保持台                        
６  枠体                            ７  上部フレーム                        
８  枠体                            ９  下部フレーム                        
１２  連結部材                      １３  被覆体                      
１４ａ，１４ｂ  取付板                    １５  枢軸                              
１６  支持脚体                      １７  キャスタ支持部              
１８  キャスタ                      １９  支持軸                      
２０  挿通孔                        ２１  ナット                      
２３  載置板                        ２４  キャスタ                    
２５  接地部                        ２６  位置規制部材                
２７  角度規制部材                  ２８  突部                              
２９  凹部                                ３０，３１  リンク板              
３２  角度規制部材
【図１】
2020204650.tif 000003
【図２】
2020204650.tif 000004
【図３】
2020204650.tif 000005
【図４】
2020204650.tif 000006
【図５】
2020204650.tif 000007
【図６】
2020204650.tif 000008
【図７】
2020204650.tif 000009
【図８】
2020204650.tif 000010
【図９】
2020204650.tif 000011
【図１０】
2020204650.tif 000012
【図１１】
2020204650.tif 000013
【図１２】
2020204650.tif 000014
【図１３】
2020204650.tif 000015
【図１４】
2020204650.tif 000016
【図１５】
2020204650.tif 000017
【図１６】
2020204650.tif 000018
【図１７】
2020204650.tif 000019